(57)【特許請求の範囲】
【請求項１】
表示部と、各種指示を入力する入力部と、着信表示部と、を備え、着信時に前記着信表示部に着信報知の表示を行う携帯電話機において、
前記携帯電話機は、
前記着信表示部を１／ｆゆらぎ表示させるための１／ｆゆらぎ制御部と、
前記入力部から入力された開始時刻と終了時刻の時間帯または現在時刻から表示を継続する時間を設定するタイマ設定部と、
を備え、
前記タイマ設定部に設定された開始時刻と終了時刻の時間帯または現在時刻から表示を継続する時間の間、前記１／ｆゆらぎ制御部を起動し、前記着信表示部を１／ｆゆらぎ表示させることを特徴とする携帯電話機。
【請求項２】
前記着信表示、および、１／ｆゆらぎ表示は、それぞれ入力部から設定入力されたフラグの状態が有効か、無効かに基づいて制御され、
前記着信表示部は、前記フラグの状態により着信報知の表示、および、１／ｆゆらぎ表示を行うとともに、前記タイマ設定部に設定された開始時刻と終了時刻の時間帯または現在時刻から表示を継続する時間の間において、前記着信報知の表示を優先することを特徴とする請求項１に記載の携帯電話機。
【発明の詳細な説明】
【技術分野】
【０００１】
本発明は、ＬＥＤなどの発光素子からなる着信表示部を備えた携帯電話機に関するものであり、特に、ユーザが設定した時間帯において、着信表示部をイルミネーションとして点灯制御するようにするとともに、１／ｆゆらぎ制御を起動して点灯制御するようにした携帯電話機に関するものである。
【背景技術】
【０００２】
近年の情報処理技術、通信技術の発展に伴い種々の携帯型の情報通信端末装置（以下、携帯端末装置という）が広く普及している。このような携帯端末装置は、利用者が外出先からインターネットなどのネットワークを介して種々サービスを提供する情報配信サーバや所望のウェブサイトに接続して当該サービスを受け、あるいは情報を取得したり、自社のネットワークに接続したりして業務上必要な情報を取得することができる。
【０００３】
最近では、携帯電話機のハード、ソフト機能が充実し、従来の携帯端末装置の機能を兼ねるようになってきており、携帯電話機の普及率の拡大にはめざましいものがある。携帯電話を利用したデータ通信サービスを提供する事業者も増加しており、携帯電話機を利用してバンキング、インターネット販売、ナビゲーション、交通機関やコンビニエンスストアなどの代金決済など様々なサービスを受けることができるようになってきている。特に携帯電話機においては種々のオプションやアプリケーションが搭載可能であり、利用できるサービスの種類も豊富になってきている。
【０００４】
図４は一般的な携帯電話機の外観を示す図である。図４に示すように、携帯電話機は、液晶表示ユニットなどから構成される表示部８０、操作／入力部９０を備えており、操作／入力部９０にはテンキー９１等と選択キー９２、確定キー９３、入力文字コード変換キーなどの機能キーを備えている。利用者は、表示部８０にメニュー画面を表示しあるいは選択キー９２を操作し携帯電話機の所望の機能を選択する。また、テンキー９１から電話番号を入力し、発信キーを操作して所望の相手方に発呼する。
【０００５】
携帯電話機の機能が充実するにつれてその利用範囲は拡大しており、特に若年層の利用者においては、本来の通話機能の他に娯楽性を追求した用途や、特殊なサービスを受けることができるアプリケーションなどをインストールして他の利用者が所有する携帯電話機と差別化するような利用形態が好まれ、また、アミューズメントの要素を加えたり、ファッション性に考慮したりした携帯電話機も種々提供されている。
【０００６】
携帯電話機には、ユーザに着信を報知するためＬＥＤ発光素子から構成される着信表示部を備えている。アミューズメントの要素やファッション性の要素を加えるために、着信表示部を用いて、通話中や通信中に着信表示部をイルミネーション表示できるようにした携帯電話機が知られている。
【０００７】
例えば、下記の特許文献１（特開２００４−３１７８９１号公報）には、カメラ用のストロボ発光手段と着信表示およびイルミネーション表示を行う着信表示部を有する携帯電話機が開示されている。
【０００８】
この特許文献１に開示された携帯電話機は、着信表示部を、ストロボ発光用の白色ＬＥＤ、着信表示又はイルミネーション表示用の青色ＬＥＤ、発光用レンズ、発光用レンズと白色ＬＥＤとの間に介在されるプリズムシートにより構成したものである。ストロボ発光時には、白色ＬＥＤから放射され、プリズムシートに照射された白色光のうち大部分がプリズムシートの透過面で屈折して、発光用レンズへ向けて出射し、発光用レンズを透過し、出射面から出射され、ストロボ光として用いられるようにしたものである。
【０００９】
また、下記の特許文献２（特開２００５−２６９２５５公報）には、着信表示部における着信表示と通信中のイルネーション表示を制御するようにした携帯電話機が開示さている。
【００１０】
この特許文献２に開示された携帯電話機は、発光手段、鳴動手段、および振動手段を備え、中央制御部は、着信時にイルミネーションＬＥＤの起動または停止を制御する発光制御手段と、スピーカの起動または停止を制御する鳴動制御手段と、バイブレーターの起動または停止を制御する振動制御手段と、表示部の起動または停止を制御する表示部制御手段と、キー操作部の着信中のキー操作の有効または無効を制御するキー操作規制制御手段と、イルミネーションＬＥＤの通信中の起動または停止を制御する通信中発光制御手段を有する構成としたものである。
【００１１】
この携帯電話においては、発光手段であるイルミネーションＬＥＤの点灯または消灯をユーザの意志で任意に設定することができ、ユーザは、イルミネーションＬＥＤの消灯を設定することにより、周囲に対するイルミネーションＬＥＤ点灯による迷惑を防ぎ、度重なる執拗な迷惑電話や迷惑メールに対し、イルミネーションＬＥＤ点灯による無駄な電力消費を防止できる。
【特許文献１】特開２００４−３１７８９１号公報
【特許文献２】特開２００５−２６９２５５号公報
【発明の開示】
【発明が解決しようとする課題】
【００１２】
携帯電話機に種々のアミューズメントの要素を加えるに際してはユーザの嗜好や流行を考慮する必要がある。今では携帯電話機はユーザにとっていつでも身近においておくことが必要な必需品になっている。そこで、ユーザによっては、就寝時や化粧室でのメーク時などに携帯電話機の表示機能などを用いてリラクゼーションの時間を過ごしたいという要求もある。例えば、所望の時間帯において、着信表示部のイルミネーション表示を利用してリラクゼーションの時間を過ごしたいという場合である。
【００１３】
しかしながら、上記特許文献１や特許文献２に開示された携帯電話機のように着信表示部においてイルミネーション表示を行えるようにした携帯電話においては、一般に、イルミネーション表示のパターンは携帯電話機側において予め設計された固定的なものであり、イルミネーション表示の態様をユーザが好む態様にすることができないという問題点があった。例えば、
本願の発明者は上記の問題点を解消すべく種々検討を重ねた結果、タイマ設定部と１／ｆゆらぎ制御部を設け、ユーザが設定した時間帯において、着信表示部をイルミネーションとして点灯制御するようにするとともに、１／ｆゆらぎ制御を起動して点灯制御するようになせば、上記の問題点を解消し得ることに想到して本発明を完成するに至ったものである。
【００１４】
すなわち、本発明は、上記の問題点を解消することを目的とし、着信表示部を用いたイルミネーション表示の態様をユーザが好む時間帯においてリラクゼーション作用を有する表示態様にすることができる携帯電話機を提供することを目的とするものである。
【課題を解決するための手段】
【００１５】
前記課題を解決するために、本願の請求項１にかかる発明は、表示部と、各種指示を入力する入力部と、着信表示部と、を備え、着信時に前記着信表示部に着信報知の表示を行う携帯電話機において、前記携帯電話機は、前記着信表示部を１／ｆゆらぎ表示させるた
めの１／ｆゆらぎ制御部と、前記入力部から入力された開始時刻と終了時刻の時間帯または現在時刻から表示を継続する時間を設定するタイマ設定部と、を備え、前記タイマ設定部に設定された開始時刻と終了時刻の時間帯または現在時刻から表示を継続する時間の間、前記１／ｆゆらぎ制御部を起動し、前記着信表示部を１／ｆゆらぎ表示させることを特徴とする。
【００１６】
また、本願の請求項２にかかる発明は、請求項１にかかる携帯電話機において、前記着信表示、および、１／ｆゆらぎ表示は、それぞれ入力部から設定入力されたフラグの状態が有効か、無効かに基づいて制御され、前記着信表示部は、前記フラグの状態により着信報知の表示、および、１／ｆゆらぎ表示を行うとともに、前記タイマ設定部に設定された開始時刻と終了時刻の時間帯または現在時刻から表示を継続する時間の間において、前記着信報知の表示を優先することを特徴とする。
【発明の効果】
【００１７】
請求項１にかかる発明においては、携帯電話機は、前記着信表示部を１／ｆゆらぎ表示させるための１／ｆゆらぎ制御部と、前記入力部から入力された所望の時間帯または時間を設定するタイマ設定部と、を備え、前記タイマ設定部に設定された時間帯または時間の間、前記１／ｆゆらぎ制御部を起動し、前記着信表示部を１／ｆゆらぎ表示させる。
【００１８】
このような構成によれば、タイマ設定部にユーザが所望の時間帯または時間を設定することにより、設定した時間帯または時間の間、着信表示部を１／ｆゆらぎ表示によるイルミネーション表示することができるようになる。ユーザはこの表示を行うことによりリラックスし、また癒しを感じることができるようになる。
【００１９】
請求項２にかかる発明においては、請求項１にかかる携帯電話機において、前記着信表示、および、１／ｆゆらぎ表示は、それぞれ入力部から設定入力されたフラグの状態が有効か、無効かに基づいて制御され、前記着信表示部は、前記フラグの状態により着信報知の表示、および、１／ｆゆらぎ表示を行う。
【００２０】
このように構成することにより、ユーザは任意に着信表示を有効にするか、無効にするかを設定でき、また、１／ｆゆらぎ表示を有効にするか、無効にするかを設定できるため、着信表示部の表示態様をユーザが任意に使い分けすることができるようになる。これにより、ユーザは公共の場所での着信表示部の表示が周囲の迷惑とならないようにすることができる。
【発明を実施するための最良の形態】
【００２１】
以下、本発明の具体例を実施例及び図面を用いて詳細に説明する。但し、以下に示す実施形態は、本発明の技術思想を具体化するための携帯電話機を例示するものであって、本発明をこの携帯電話機に特定することを意図するものではなく、特許請求の範囲に含まれるその他の実施形態の携帯電話機にも等しく適応し得るものである。
【実施例】
【００２２】
図１は本発明の実施例にかかる携帯電話機１０の構成を示すブロック図である。図１に示すように、携帯電話機１０は、アンテナ１６と接続された通信部１２を備えている。この通信部１２は、後述のベースバンド部１４からの信号を、アンテナ１６を介して基地局へ発信し、あるいはアンテナ１６を介して基地局からの電波を受信する。
【００２３】
また、通信部１２は、ベースバンド部１４と接続されている。ベースバンド部１４は、ＣＤＭＡ処理回路１８と、音声コーデック２０と、を有している。ここで、ＣＤＭＡ処理回路１８は、符号分割多元接続、スクランブル、誤り制御、タイミング検出を行う。また、音声コーデック２０は、音声を圧縮（符号化）、伸張（復号化）したり、アナログとデジタルの変換を行ったり、内部の増幅回路（図示省略）により受話音量やマイクロホンの感度を変更する。
【００２４】
また、ベースバンド部１４には、切替回路２２が接続されている。この切替回路２２には、増幅回路２４を介して第１スピーカ２６が接続されている。この第１スピーカ２６は、増幅回路２４で増幅されたベースバンド部１４の電気信号を音声に変換する。この第１スピーカ２６は、ユーザの耳にあてて通話に使用される。
【００２５】
また、切替回路２２には、増幅回路２８を介してマイクロホン３０が接続されている。このマイクロホン３０は、通話に使用され、音声を電気信号に変換する。マイクロホン３０により入力された電気信号は、増幅回路２８で増幅されてベースバンド部１４に出力される。
【００２６】
また、切替回路２２には、増幅回路３２を介して第２スピーカ３４が接続されている。この第２スピーカ３４は、増幅回路３２で増幅されたベースバンド部１４の電気信号を音声に変換する。この第２スピーカ３４は、受話音を周囲の人にも聞かせるための拡声用のスピーカである。また、第２スピーカ３４は、着信報知の鳴動も行う。なお、これらの３つの増幅回路２４、２８、３２は、ゲインを固定しており、第１スピーカ２６及び第２スピーカ３４の音量やマイクロホン３０の感度を変更することはできないようになっている。
【００２７】
この切替回路２２は、ベースバンド部１４との接続を、第１スピーカ２６用の増幅回路２４とマイクロホン３０用の増幅回路２８側にするか、あるいは拡声用の第２スピーカ３４用の増幅回路３２とマイクロホン３０用の増幅回路２８側にするかを切り替える。
【００２８】
また、通信部１２、ベースバンド部１４、切替回路２２には、制御回路（制御部）３６がそれぞれ接続されている。この制御回路３６の制御により上述した切替回路２２による切り替えが行われる。また、制御回路３６によりベースバンド部１４の音声コーデック２０が制御され、音声コーデック２０により第１スピーカ２６及び第２スピーカ３４の音量やマイクロホン３０の感度が変更される。制御回路３６には、ＲＯＭ３８が接続されており、ＲＯＭ３８に格納されているシステムプログラムに基づき各部を制御する。制御回路３６が各部を制御するにあたって一時的に生成する情報や、一時的に使用する情報がある場合、ＲＡＭ４０を用いて当該情報を一時記憶する。
【００２９】
また、制御回路３６には、入力部４４が接続されている。この入力部４４は、電話番号等の入力を行うテンキー４８と、通話の開始を操作する通話キー５０と、通話の終了を操作する切キー５２と、ＯＫキー５４と、クリアキー５５と、を有している。ここで、テンキー４８には、０〜９の各数字入力ボタンと、♯ボタンと、＊ボタンとが含まれる。
【００３０】
ディスプレイ４２は液晶表示ユニットなどにより構成され、携帯電話機１０のメニュー画面や待ち受け画面、あるいは、電子メールや電話帳、発着信履歴などの表示に用いられる。照明部４６は液晶表示ユニットのバックライトであり、ディスプレイ４２に画像を表示する場合に点灯される。
【００３１】
制御回路３６には、着信表示部６１、１／ｆゆらぎ制御部６２、イルミネーション制御部６３、タイマ設定部６４が接続されている。着信表示部６１は異なる表示色の複数のＬＥＤ発光素子からなり、携帯電話機１０に着信があった場合、特定の表示色のＬＥＤを点灯してユーザに着信を知らせる表示部として用いられる。
【００３２】
着信表示部６１が着信以外の携帯電話機１０の状態を表示するために用いられる場合、例えば、携帯電話機１０が充電台に置かれ充電中であることを表示する場合には、異なる表示色のＬＥＤを点灯するように構成することができる。
【００３３】
着信表示部６１が単一のＬＥＤ素子で構成される場合には、ＬＥＤの点灯パターンを異なるパターン、例えば、点灯と消灯時間や時間間隔の長短で着信表示と充電中表示を識別できるようにする。
【００３４】
イルミネーション表示制御部６３は、携帯電話機１０が通話による通信やデータ通信中に着信表示部６１をイルミネーションとして点灯させる制御を行う。一般的にはイルミネーション表示の際のＬＥＤの点灯パターンは予め設定された固定的な点灯パターンである。
【００３５】
１／ｆゆらぎ制御部６２は着信表示部６１の点灯制御時に１／ｆゆらぎを持った発光表示を行うように制御する。このような表示制御の方法としては、特開平２００７−１１５４７７号公報の電子キャンドルの発明に開示された方法（段落［００４９］）を適用することができる。
【００３６】
着信表示、充電中表示、イルミネーション表示、１／ｆゆらぎ表示のそれぞれはユーザが入力部４４から個別に有効、無効を設定することができる。各表示機能には有効、無効を示すフラグが設けられ、有効に設定された時にはフラグが「ＯＮ」に、無効に設定された時にはフラグが「ＯＦＦ」にされる。
【００３７】
タイマ設定部６３は、１／ｆゆらぎ制御部６２を起動する時間帯を設定するものであり、ユーザが着信表示部６１を１／ｆゆらぎ制御部６２を起動してイルミネーション表示したい時間帯を、入力部４４を用いて設定することができる。時間帯の設定は開始時刻と終了時刻をそれぞれ設定する方法、現在時刻から１／ｆゆらぎ制御部６２を起動してイルミネーション表示を継続する時間、例えば３０分、１時間などの時間を設定する方法のいずれも採ることができる。本明細書においては前者の方法による設定を時間帯といい、後者の方法による設定を時間（現在時刻からの時間）ということとする。
【００３８】
着信表示部６１は、前述の各表示機能の有効、無効を設定したフラグに従って複数の表示態様で点灯されるため、各表示機能には優先順が定められている。着信表示は他の全ての表示機能に対して優先される。１／ｆゆらぎ表示はイルミネーション表示の１種であり、タイマ設定部６３により時間帯設定がなされている場合には、１／ｆゆらぎ表示がイルミネーション表示、充電中表示に対して優先される。タイマ設定部６３により時間帯設定がなされていない場合は１／ｆゆらぎ表示はフラグが「ＯＮ」設定されていても無視される。また、充電中表示に対して着信表示が優先される。これらの優先順は、いずれの機能を優先するかの問題であり、種々設定し得る。ユーザが好みによって優先順を設定できるようにしてもよい。
【００３９】
図２はタイマ設定部６３に設定された時間帯または時間と、各表示機能を示すフラグの設定（「ＯＮ」、「ＯＦＦ」の状態の一例を示す図である。先に述べたようにタイマ設定部６３に設定する時間帯は、開始時刻と終了時刻をそれぞれ設定する方法、現在時刻から１／ｆゆらぎ制御部６２を起動してイルミネーション表示を継続する時間、例えば３０分、１時間などの時間を設定する方法の何れかである。
【００４０】
従って、タイマ設定部６４に図２のように開始時刻（午後１１：３０）、終了時刻（午前６：３０）により時間帯を指定し、同時に、１／ｆゆらぎ表示のフラグを「ＯＮ」に設定すれば、着信表示部６１が１／ｆゆらぎで表示される。このようにすれば、ユーザは夜間枕元においた充電台に携帯電話機１０をおいて充電中に、着信表示部６１を１／ｆゆらぎ制御部６２を起動してイルミネーション表示することができる。
【００４１】
あるいはタイマ設定部６４に、図２のように１／ｆゆらぎ表示の継続時間（３０分）を設定すれば、現在時刻から設定された時間の間、着信表示部６１が１／ｆゆらぎで表示される。このようにすれば、ユーザは現在の時刻から所望の間、携帯電話機１０を身近な場所に置いて着信表示部６１を１／ｆゆらぎ制御部６２を起動してイルミネーション表示することができる。例えば、携帯電話機１０を化粧台に置いて待ち時間に１／ｆゆらぎ表示を楽しむことができる。
【００４２】
図３は本発明の実施例にかかる携帯電話機１０における着信表示部６１の制御手順を示すフローチャートであり、図３（ａ）は表示機能設定の処理を示し、図３（ｂ）は着信表示部の表示制御の処理手順を示すフローチャートである。図３（ｂ）のフローチャートにおいては、図３（ａ）のステップＳ１０１で１／ｆゆらぎ表示機能を示すフラグの「ＯＮ」または「ＯＦＦ」が設定され、ステップＳ１０２でタイマ設定部６４に所望の時間帯が設定されたものとして手順を説明する。
【００４３】
なお、このフローチャートでは、説明を簡単にするため、着信表示部６１は、着信表示とイルミネーション表示を行うものとし、充電中表示を兼ねないものとし、またタイマ設定部６４には１／ｆゆらぎ表示の開始時刻と終了時刻が設定されたものとして説明する。
【００４４】
図３（ｂ）のステップＳ２０１で携帯電話機１０はタイマ設定部６４に設定された時刻（開始時刻）であるかを判定する。開始時刻であれば、ステップＳ２０２で着信表示のフラグが「ＯＮ」設定されているか否かを判定し、「ＯＮ」設定されていればステップＳ２０３で携帯電話機１０に着信があったか否かを判定する。
【００４５】
着信があればステップＳ２０７の処理に進み着信表示部６１を通常の着信表示とし、ステップＳ２０８の処理に進み通話の終了を待つ。通話が終了すれば処理を終了する。ステップＳ２０３の判定処理で着信がないと判定されれば、ステップＳ２０４の処理で１／ｆゆらぎ表示のフラグが「ＯＮ」設定されているか否かを判定する。
【００４６】
１／ｆゆらぎ表示のフラグが「ＯＮ」設定されていれば、ステップＳ２０５の処理に進み、１／ｆゆらぎ制御部６２を起動し、着信表示部６１を１／ｆゆらぎ表示させ、ステップＳ２０６の処理でタイマ設定部６４に設定された１／ｆゆらぎ表示の終了時刻（設定時刻）であるか否かを判定する。終了時刻でなければステップＳ２０６の判定処理を繰り返す。ステップＳ２０６の判定処理で終了時刻であると判定されると、１／ｆゆらぎ制御部６２を停止し、処理を終了する。
【００４７】
以上詳細に説明したように、本発明にかかる携帯電話機１０によれば、タイマ設定部６４にユーザが所望の時間帯または時間を設定し、１／ｆゆらぎ表示機能を「ＯＮ」に設定することにより、設定した時間帯または時間の間、着信表示部６１を１／ｆゆらぎ表示によるイルミネーションすることができるようになる。ユーザはこの表示を行うことによりリラックスし、また癒しを感じることができるようになる。
【産業上の利用可能性】
【００４８】
本発明を適用することにより、携帯電話機にリラクゼーション、アミューズメント、癒しの要素を加えることができる。
【図面の簡単な説明】
【００４９】
【図１】本発明の実施例にかかる携帯電話機の構成を示すブロック図である。
【図２】タイマ設定部に設定された時間帯と、各表示機能を示すフラグの設定（「ＯＮ」、「ＯＦＦ」）の状態の一例を示す図である。
【図３】本発明の実施例にかかる携帯電話機の着信表示部の制御手順を示すフローチャートであり、図３（ａ）は表示機能設定の処理を示し、図３（ｂ）は着信表示部の表示制御の処理手順を示すフローチャートである。
【図４】従来の一般的な携帯電話機の外観を示す図である。
【符号の説明】
【００５０】
１０・・・・携帯電話機
１２・・・・通信部
１４・・・・ベースバンド部
１６・・・・アンテナ
２２・・・・切替回路
２６，３４・・・スピーカ
３０・・・・マイク
３６・・・・制御回路
３８・・・・ＲＯＭ
４０・・・・ＲＡＭ
４２・・・・ディスプレイ
４４・・・・入力部
４６・・・・照明部
６１・・・・着信表示部
６２・・・・１／ｆゆらぎ制御部
６３・・・・イルミネーション制御部
６４・・・・タイマ設定部
【図１】
0005094306.tif 000002
【図２】
0005094306.tif 000003
【図３】
0005094306.tif 000004
【図４】
0005094306.tif 000005